(57)【特許請求の範囲】
【請求項１】
不規則なまだら模様によるパターンを光ディスクに形成して、著作権に関する情報を記録し、
前記不規則なまだら模様を、
前記光ディスクに付着したインクの液滴から溶剤が揮発することにより、前記インクに溶けた粉末が局所的に凝集して形成し、
前記不規則なまだら模様によるパターンを、前記著作権に関する情報を変調した変調信号に応じて前記インクの液滴を前記光ディスクに付着して形成する
光ディスク装置。
【請求項２】
前記不規則なまだら模様によるパターンを光透過層の下層に形成する
請求項１に記載の光ディスク装置。
【請求項３】
前記不規則なまだら模様によるパターンは、
再生系における光学系において、前記光透過層の厚み分のデフォーカスによって検出困難となる程度以上の、微細な光学特性の変化を有するように形成された
請求項２に記載の光ディスク装置。
【請求項４】
前記不規則なまだら模様によるパターンは、
再生系で照射されるレーザービームのビームスポット径により分解可能な周波数以上の空間周波数による光学特性の変化までも有するように形成された
請求項１に記載の光ディスク装置。
【請求項５】
請求項１、請求項２、請求項３、又は請求項４に記載の光ディスク装置により前記著作権に関する情報が記録された光ディスクにレーザービームを照射して前記光ディスクをアクセスする光ディスク装置であって、
前記レーザービームの照射による戻り光を受光して受光結果を出力する受光手段と、
前記受光結果に含まれる所定周波数以上の信号強度を検出し、該検出結果に基づいて前記光ディスクより前記著作権に関する情報を再生する著作権情報再生手段と、
前記著作権に関する情報に基づいて、前記光ディスクのアクセスを制御する制御手段とを有する
光ディスク装置。
【請求項６】
前記受光結果を２値識別して再生データを生成する再生データ生成手段と、
所定の鍵情報により前記再生データの暗号化を解除する暗号化解除手段とを有し、
前記制御手段は、
前記著作権に関する情報に基づいて、前記鍵情報を前記暗号化解除手段にセットする
請求項５に記載の光ディスク装置。
【請求項７】
前記所定の周波数は、
前記光ディスクの光透過層の厚み分のデフォーカスによって検出困難となる信号成分の周波数より高い周波数である
請求項５に記載の光ディスク装置。
【請求項８】
前記著作権情報再生手段は、
前記受光結果に、前記所定周波数以上の基準信号を乗算して乗算結果を出力する乗算回路と、
前記乗算結果を積分する積分回路とを有し、
前記積分回路の積分結果により前記信号強度を検出する
請求項５に記載の光ディスク装置。
【請求項９】
レーザービームの照射によりアクセス可能とされた光ディスクにおいて、
不規則なまだら模様によるパターンの配置により、著作権に関する情報が記録され、
前記不規則なまだら模様が、
前記光ディスクに付着したインクの液滴から溶剤が揮発することにより、前記インクに溶けた粉末が局所的に凝集して形成され、
前記不規則なまだら模様によるパターンが、前記著作権に関する情報を変調した変調信号に応じて前記インクの液滴を前記光ディスクに付着して形成された
光ディスク。
【請求項１０】
前記不規則なまだら模様によるパターンが、
光透過層の下層に配置された
請求項９に記載の光ディスク。
【請求項１１】
前記不規則なまだら模様によるパターンは、
再生系における光学系において、前記光透過層の厚み分のデフォーカスによって検出困難となる程度以上の、微細な光学特性の変化により形成された
請求項１０に記載の光ディスク。
【請求項１２】
前記不規則なまだら模様によるパターンは、
再生系で照射されるレーザービームのビームスポット径により分解可能な周波数以上の空間周波数による光学特性の変化までも有するように形成された
請求項９に記載の光ディスク。
【請求項１３】
前記著作権に関する情報により所望の情報が暗号化されて記録された
請求項９に記載の光ディスク。
【発明の詳細な説明】
【０００１】
【発明の属する技術分野】
本発明は、光ディスク装置及び光ディスクに関し、例えばミニディスク（ＭＤ）、光磁気ディスク（ＭＯ）等と、これらの記録再生装置に適用することができる。本発明は、不規則なまだら模様によるパターンを光ディスクに配置して、著作権に関する情報を記録することにより、従来に比して一段と有効に著作権者の利益を保護することができるようにする。
【０００２】
【従来の技術】
従来、光ディスク装置であるミニディスク装置においては、種々のコンテンツより音質の劣化を防止して簡易に音楽をコピーできることにより、近年、急速に普及するようになされている。すなわちミニディスク装置においては、インターネットにより配信される音楽情報をミニディスクに記録して試聴することもでき、また友人等から借りたコンパクトディスクの音楽をミニディスクに記録して試聴することもできる。さらに他のミニディスクから音楽をコピーすることもできる。
【０００３】
しかしながらこのような音質の劣化を防止した簡易なコピーにおいては、ユーザの利便性を大きく高める反面、音楽を創作した著作権者の利益を損なう恐れもある。このため例えばＲＩＡＡ（Recording Industry Association of America ）、ＳＤＭＩ（Secure Digital Music Initiative ）、ＣＰＴＷＧ（Copy Protection Technical Working Group ）等の団体、フォーラムにおいて、著作権者の利益の保護を目的として種々の手法が検討されるようになされている。
【０００４】
このような手法の１つの方法として、記録媒体に固有の著作権保護情報により音楽情報を暗号化して記録する方法が提案されている。すなわちこの方法によれば、音楽情報を別の記録媒体にコピーした場合には、記録媒体で著作権保護情報が異なることにより暗号化を解除することが困難になり、これにより無制限のコピーを防止して著作権者の利益を保護しようとするものである。
【０００５】
このような著作権保護情報の記録方式については、ユーザーがアクセス困難なセクタを設け、このセクタに著作権保護情報を記録する方法、ピット列による主のデータの記録に対して反射膜の部分的な除去によりこの種の情報に類する情報を記録する方法（国際公開番号ＷＯ９７／１４１４４号）等が提案されるようになされている。
【０００６】
【発明が解決しようとする課題】
ところがこれらの方法においては、著作権者の利益を有効に保護する点で実用上未だ不十分な問題がある。
【０００７】
すなわちユーザーがアクセス困難なセクタに著作権保護情報を記録する方法にあっては、比較的簡易に著作権保護情報を記録することができる反面、その分著作権保護情報がコピーされ易い問題がある。
【０００８】
また反射膜の部分的な除去によりこの種の情報に類する情報を記録する方法においては、反射膜の部分的な除去作業に専用の工程、装置を要し、これにより再生装置等の組み込みが困難な問題がある。また反射膜の部分的な除去が目視により確認できることにより、いわゆる海賊版を完全に防止できない問題もある。すなわちこの方法の場合、例えばディスク表面に不透明膜などを張り付けることにより、正規のディスクと性能及び特性が同等な海賊版ディスクが簡単に作成することができ、またこのようなシール等が販売される恐れもある。
【０００９】
本発明は以上の点を考慮してなされたもので、従来に比して一段と有効に著作権者の利益を保護することができる光ディスク装置、光ディスクを提案しようとするものである。
【００１０】
【課題を解決するための手段】
かかる課題を解決するため請求項１又は請求項９の発明においては、光ディスク装置又は光ディスクに適用して、不規則なまだら模様によるパターンの配置により著作権に関する情報を記録する。ここで前記不規則なまだら模様を、前記光ディスクに付着したインクの液滴から溶剤が揮発することにより、前記インクに溶けた粉末が局所的に凝集して形成し、前記不規則なまだら模様によるパターンを、前記著作権に関する情報を変調した変調信号に応じて前記インクの液滴を前記光ディスクに付着して形成される。
【００１１】
また請求項５の発明においては、請求項１〜４に係る光ディスクのアクセスを前提に、光ディスク装置に適用して、受光結果に含まれる所定周波数以上の信号強度を検出し、該検出結果に基づいて前記光ディスクより著作権に関する情報を再生する著作権情報再生手段を備えるようにする。
【００１２】
請求項１又は請求項９の構成によれば、不規則なまだら模様によるパターンの配置により著作権に関する情報を記録することにより、例えばインクジェットによりインクを吹き付ける等により簡易に著作権に関する情報を記録することができる。また、配置する部位の選定等により複製困難に著作権に関する情報を記録することができ、これにより従来に比して一段と有効に著作権者の利益を保護することができる。
【００１３】
また請求項５の構成によれば、受光結果に含まれる所定周波数以上の信号強度を検出し、該検出結果に基づいて著作権に関する情報を再生することにより、例えば違法な手段により光ディスクの厚み方向に本来の位置とは異なる部位に同様の著作権に関する情報をコピー等により記録した場合でも、これらのコピーに係る情報については無視して処理することができ、これにより従来に比して一段と有効に著作権者の利益を保護することができる。
【００１４】
【発明の実施の形態】
以下、適宜図面を参照しながら本発明の実施の形態を詳述する。
【００１５】
（１）実施の形態の構成
図２は、本発明の実施の形態に係る著作権情報記録装置を示すブロック図である。この著作権情報記録装置１は、ディスク基板２に著作権保護情報ＥＤを記録する。
【００１６】
ここでディスク基板２は、製造途中に係る相変化型の光ディスクである。すなわち光ディスクの製造工程では、フォトレジスト等の光感光材料が一定の厚みによりディスク原盤に塗布され、このディスク原盤に対してカッティングマシーンにより露光の処理が実行される。光ディスクの製造工程は、露光の完了したディスク原盤を現像することにより、露光軌跡に微細な凹凸パターンを形成する。ここでこの凹凸パターンは、アドレス情報の再生に供するピット、レーザービームのガイド溝を構成するグルーブに対応する。光ディスクの製造工程は、このようなディスク原盤を電鋳処理してマザーディスクを作成し、このマザーデイスクを用いてスタンパーを作成する。光ディスクの製造工程は、このようにして作成したスタンパーを用いた射出成形により、ディスク基板を量産する。
【００１７】
これによりディスク基板は、ポリカーボネイト等の樹脂材料による表面に、マザーディスクの凹凸に対応する凹凸が転写され、この凹凸によりピット、グルーブが作成される。ディスク基板には、このような凹凸の側に、情報を記録するための記録膜がスパッタリング等により形成される。なおこの実施の形態では、この記録膜としてＰＣ（相変化膜）が形成される。
【００１８】
ディスク基板２は、このような記録膜が作成された後の状態で、この著作権情報記録装置１に装着され、この著作権情報記録装置１により著作権保護情報ＥＤが記録された後、光透過層を構成する保護膜が形成される。これによりディスク基板２は、光透過層の下層である情報記録面に著作権保護情報ＥＤが記録されて完成品とされ、市場にてユーザーにより記録再生に使用されるようになされている。
【００１９】
著作権情報記録装置１において、スピンドルモータ３は、ディスク基板２を回転駆動し、底部に保持したＦＧ信号発生回路より、所定の回転角毎に信号レベルが立ち上がるＦＧ信号ＦＧを出力する。サーボ回路４は、このＦＧ信号ＦＧを基準にしてスピンドルモータ３を駆動し、これによりディスク基板２を所定の回転数により回転駆動する。
【００２０】
中央処理ユニット（ＣＰＵ）５は、スピンドルモータ３から出力されるＦＧ信号ＦＧを基準にして著作権保護情報ＥＤを所定のタイミングで出力する。ここで図３に示すように、中央処理ユニット５は、プログラムエリアの先頭領域に著作権保護情報ＥＤを３回、繰り返し記録するように、著作権保護情報ＥＤを位相変調回路６に繰り返し出力する。すなわちこのディスク基板２による光ディスク１２では、最内周にリードインエリアが作成され、最外周にリードアウトエリアが作成され、これらの間の領域がユーザーデータを記録するプログラムエリアに設定される（図３（Ａ）及び（Ｂ））。著作権情報記録装置１においては、このプログラムエリアの先頭領域に著作権保護情報ＥＤを３回、繰り返し記録する（図３（Ｃ））。
【００２１】
さらに中央処理ユニット５は、繰り返しの各ブロックにおいて、先頭に、同期用の同期信号ＳＹＮＣを配置し、続いて光ディスクを識別する情報である媒体番号ＳＢ、著作権情報記録装置１の装置番号を示す装置番号情報ＳＮ、暗号化のための鍵情報ＫＹ、誤り訂正符号ＣＲＣ（Cyclic Redundancy Check ）を順次配置するように、著作権保護情報ＥＤを出力する（図３（Ｄ））。
【００２２】
位相変調回路（ＰＥ変調）６は、この著作権保護情報ＥＤをシリアルデータ列に変換した後、ヘッダー等を付加して位相変調（Phase Encode）し、その結果得られる変調信号を出力する。
【００２３】
著作権情報記録ヘッドは、圧電素子、発熱体等の駆動により、保持したインクを間欠的に吐出させるインクジェットヘッドにより構成され、ディスク基板２の凹凸が形成された側の所定領域に、位相変調回路６の出力信号に応じてインクを吹き付ける。これにより著作権情報記録装置１では、光透過層の下層である情報記録面の所定領域にインクを付着して著作権保護情報ＥＤを記録する。
【００２４】
ここでこの著作権情報記録装置１においては、このようにしてディスク基板２に付着するインクが微小な金属粉末等を即乾燥性の溶剤に溶かして作成され、図１（Ａ）及び（Ｂ）に示すように、溶剤の揮発により、このインクに溶けた金属粉末（黒色により示す）が局所的に集合して、インクの付着位置Ｍに、微細で、かつ不規則なまだら模様が形成されるようになされている。なおこの図１（Ｂ）においては、位相変調回路６におけるデータ転送のタイミングを基準にして何らインクが付着されない領域を符号Ｎにより示す。これにより著作権情報記録装置１では、不規則な明暗を有するまだら模様のパターンＭの配置により著作権保護情報ＥＤをディスク基板２に印刷して記録するようになされている。
【００２５】
ディスク基板２は、このようにして著作権保護情報ＥＤが記録されると、図４（Ａ）に断面を取って示すように、光透過層である保護膜９が作成され、完成品の光ディスク１２とされる。このようにして完成品とされる光ディスク１２では、ディスク基板２が厚さ１．１〔ｍｍ〕により形成され、保護膜９が厚さ０．１〔ｍｍ〕により形成され、プログラムエリアの先頭領域に著作権保護情報ＥＤが記録された領域ＡＲＭが形成されることになる。
【００２６】
光ディスク１２では、このディスク基板２と保護膜９との境界に、ピット、グルーブの凹凸、情報記録面が配置され、この境界に焦点を結ぶように、対物レンズによりレーザービームを集光して所望のデータが記録再生されることになる。ここでこの実施の形態の再生系においては、このようにして著作権保護情報ＥＤが記録された情報記録面にレーザービームを照射する場合、情報記録面におけるレーザービームのビームスポット径Ｄｆが、ほぼ１〔μｍ〕以下の大きさとなるのに対し、この情報記録面より前ピン側である光透過層９の表面では、ビームスポット径Ｄｂが５０〔μｍ〕程度の大きさとなるようになされている。
【００２７】
ディスク基板２は、このような再生系における光学系において、この光透過層９の厚み分のデフォーカスによって検出困難となる程度以上の、微細な光学特性の変化を有するように、このまだら模様のパターンＭが形成される。すなわちこのようなほぼ１〔μｍ〕以下のビームスポット径によるレーザービームの照射により得られる再生信号ＨＦ（図１（Ｃ））においては、インクの局所的な集合に対応する短い周期による振幅の変化が観察されるように、また５０〔μｍ〕程度のビームスポット径によるレーザービームの照射により得られる再生信号ＨＦ（図１（Ｄ））においては、不規則なまだら模様に対応する短い周期による振幅の変化が観察されないように、金属粉末の濃度、溶剤の種類等が選定されて著作権保護情報ＥＤが記録される。
【００２８】
これによりディスク基板２においては、図４（Ｂ）に示すように、５０〔μｍ〕程度のビームスポット径に維持される光透過層９の表面に、例えばこの著作権保護情報ＥＤの記録に係るまだら模様と同一模様に係るシール１３を貼り付けた場合であっても、再生信号ＨＦにおいては、このようなシール１３に形成されたまだら模様による信号レベルの微細な変化は検出することができないようになされている。
【００２９】
さらにディスク基板２は、再生系で照射されるレーザービームのビームスポット径により分解可能な周波数以上の空間周波数による光学特性の変化までも有するように、このまだら模様のパターンが形成され、これにより再生系における光学系で十分に広い周波数帯域によりランダムなノイズと同様の再生信号レベルの変化により、このまだら模様の有無を検出できるようになされている。
【００３０】
図５は、この光ディスク１２に記録されたデータを再生する光ディスク装置を示すブロック図である。この光ディスク装置２１で再生される光ディスク２２は、上述した著作権保護情報ＥＤの鍵情報ＫＹによりオーディオ信号が暗号化されて上述のプログラムエリアに記録されたものである。
【００３１】
この光ディスク装置２１において、スピンドルモータ２３は、図示しないサーボ回路の制御により光ディスク２２を所定の回転速度で回転駆動する。
【００３２】
光ピックアップ２４は、光ディスク２２の半径方向に可動できるように所定のスレッド機構により保持される。光ピックアップ２４は、光ディスク２２にレーザービームを照射し、その戻り光を受光することにより、トラッキングエラー信号、フォーカスエラー信号、戻り光の光量に応じて信号レベル変化する再生信号ＨＦを生成する。
【００３３】
かくするにつきこの実施の形態では、この光ピックアップ２４で照射されるレーザービームのビームスポット径により分解可能な周波数以上の空間周波数による光学特性の変化までも有するようにまだら模様が形成されていることにより、このようにして得られる再生信号ＨＦにおいては、図１（Ｃ）に示すように、まだら模様に対応する短い期間により不規則な信号レベルの脈動が観察されるようになる。すなわちあたかも広い周波数帯域によるノイズが混入したように観察される。
【００３４】
ノイズパワー検出回路２５は、この再生信号ＨＦより著作権保護情報ＥＤの再生結果であるノイズ検出信号Ｐｎを検出して出力し、ＰＥ（Phase Encode）復号回路２６は、このノイズ検出信号Ｐｎを２値識別して順次ラッチし、著作権保護情報ＥＤを復調する。
【００３５】
２値化回路３７は、再生信号ＨＦを２値識別し、その識別結果ＢＤを出力する。ＥＦＭデコーダ２８は、ワード同期してこの識別結果ＢＤを処理した後、ＥＦＭ（Eight to Fourteen Modulation）復調して出力する。暗号化解除回路２９は、中央処理ユニット３０から著作権保護情報ＥＤの鍵情報ＫＹを取得し、この鍵情報ＫＹによりＥＦＭデコーダ２８から出力される再生データの暗号化を解除して出力する。ＥＣＣ回路３１は、記録時に付加した誤り訂正符号により暗号化解除回路２９の出力データを誤り訂正処理してオーディオデータを出力する。ディジタルアナログ変換回路３２は、このＥＣＣ回路３１の出力データをディジタルアナログ変換処理し、その処理結果であるオーディオ信号ＳＡ１を出力する。
【００３６】
中央処理ユニット３０は、この光ディスク装置２１の動作を制御するコントローラであり、光ディスク２２が装填されると、光ピックアップ２４をリードインエリアにシークさせて光ディスク２２の処理に必要な各種情報を取得する。中央処理ユニット３０は、この情報により光ディスク２２に記録されたオーディオ信号を再生するように全体の動作を制御する。
【００３７】
中央処理ユニット３０は、このようにして取得した情報より、この光ディスク２２が暗号化されてオーディオ信号が記録されたものの場合、続いてプログラムエリアの先頭領域に光ピックアップ２４をシークさせ、ここで著作権保護情報ＥＤを再生するように全体の動作を制御する。さらにこの先頭領域でＰＥ復号回路２６から著作権保護情報ＥＤを取得し、この著作権保護情報の鍵情報ＫＹを暗号化解除回路２９に出力する。
【００３８】
このようにして処理につき、例えば不正にコピーされた場合等の、著作権保護情報ＥＤが記録されていない光ディスク２２においては、著作権保護情報ＥＤを正しく再生することが困難で、誤った鍵情報ＫＹが中央処理ユニット３０で取得されることになる。これによりこの実施の形態では、違法なコピーによる光ディスクを再生困難として著作権の利益を保持することができるようになされている。
【００３９】
図６は、ノイズパワー検出回路２５を示すブロック図である。ノイズパワー検出回路２５は、再生信号ＨＦに含まれるノイズのパワーを検出することにより、まだら模様の有無に応じて信号レベルが変化するノイズ検出信号Ｐｎを生成する。
【００４０】
すなわちノイズパワー検出回路２５において、発振回路（ＯＳＣ）は、所定周波数のクロックＣＫを生成して出力し、分周回路（１／１６）４２Ａ、分周回路（１／８）４２Ｂ、分周回路（１／４）４２Ｃ、分周回路（１／２）４２Ｄは、それぞれこのクロックＣＫを１６分周、８分周、４分周、２分周して周波数ｆ１〜ｆ４のクロックＣＫ１〜ＣＫ４を出力する。
【００４１】
ここでノイズパワー検出回路２５においては、図４について説明した光透過層９の表面におけるビームスポット径Ｄｆに対して、このようにして作成されるクロックＣＫ１〜ＣＫ４の最も低い周波数ｆ１が、次式の関係式を満足するように設定される。なおここでＲは、スピンドルモータ２３の回転速度〔Ｈｚ〕であり、ｒは、著作権保護情報ＥＤを記録した部位の光ディスク２２における回転中心からの距離である。
【００４２】
【数１】
0004288548.tif 000002
【００４３】
すなわちノイズパワー検出回路２５においては、回転する光ディスク２２においてビームスポット径Ｄｆに対応する距離の回転に要する時間が、周波数ｆ１のクロックＣＫ１による周期に比して十分長くなるように設定し、これにより後述する周波数ｆ１によるクロックＣＫ１を基準にした再生信号ＨＦの処理によっても十分にまだら模様の有無を判定できるようになされている。
【００４４】
バンドパスフィルタ（ＢＰＦ）４３Ａ〜４３Ｄは、それぞれ中心周波数が対応するクロックＣＫ１〜ＣＫ４の周波数ｆ１〜ｆ４に設定されたフィルタであり、各クロックＣＫ１〜ＣＫ４を帯域制限し、信号レベルが正弦波状に変化する周波数ｆ１〜ｆ４の基準信号を出力する。
【００４５】
＋４５°位相シフト回路（＋４５°）４４Ａ、４４Ｂ、４４Ｃ及び４４Ｄは、それぞれバンドパスフィルタ４３Ａ〜４３Ｄより出力される基準信号の位相を４５度進ませて出力する。−４５°位相シフト回路（−４５°）４５Ａ、４５Ｂ、４５Ｃ及び４５Ｄは、それぞれバンドパスフィルタ４３Ａ〜４３Ｄより出力される正弦波信号の位相を４５度遅延させて出力する。
【００４６】
これらにより＋４５°位相シフト回路４４Ａ〜４４Ｄ及び−４５°位相シフト回路４４Ａ〜４５Ｄは、次式により示すように、基本周波数ｆ１の整数倍となるように周波数が設定されてなる周波数の異なる複数組の直交する基準信号Ｓ１〜Ｓ８を生成するようになされている。なおここでＡは、振幅を示す定数である。
【００４７】
【数２】
0004288548.tif 000003
【００４８】
乗算回路４６Ａ〜４６Ｈは、これら各基準信号Ｓ１〜Ｓ８をそれぞれ再生信号ＨＦと乗算して乗算信号を出力し、積分回路３８Ａ〜４８Ｈは、それぞれ各乗算信号を積分して積分結果を出力する。これにより積分回路３８Ａ〜４８Ｈは、サーマルノイズ、レーザービームのノイズ等を除去する。
【００４９】
二乗演算回路（二乗）４９Ａ〜４９Ｈは、これら積分回路３８Ａ〜４８Ｈの積分結果を二乗演算して演算結果を出力する。これにより二乗演算回路４９Ａ〜４９Ｈは、それぞれ再生信号ＨＦに含まれる基準信号Ｓ１〜Ｓ８と同相成分のパワーを検出して検出結果を出力するようになされている。このように計算される各パワーにおいては、ランダムな形状によりまだら模様が形成されている部位では、あたかもランダムノイズが再生信号ＨＦに重畳さたと同等であることにより、このような部位では何らまだら模様が形成されていない部位に比して、大きなパワーが検出される。さらにまだら模様がランダムな形状であることにより、各周波数のパワー検出結果でほぼ一様に大きなパワーが検出される。
【００５０】
これにより加算回路５０は、これらの二乗演算回路４９Ａ〜４９Ｈの演算結果を加算し、まだら模様の有無に応じて信号レベルが変化するノイズ検出信号Ｐｎを出力する。
【００５１】
（２）実施の形態の動作
以上の構成において、光ディスク１２は（図１〜図４）、光ディスクの製造工程において、ディスク原盤を露光して形成されたマザーディスクよりスタンパーが作成され、このスタンパーを用いた射出成形により、表面に微細な凹凸が形成されたディスク基板２が生成される。光ディスク１２は、このディスク基板２に情報記録膜が形成された後、著作権情報記録装置１によりプログラムエリアの先頭領域に著作権保護情報ＥＤが記録され、光透過層９が作成されて完成品とされる。
【００５２】
光ディスク１２は、この著作権保護情報ＥＤが繰り返し記録され、さらに誤り訂正符号ＣＲＣが付加されて記録されることにより、傷ついた場合等にあっても、著作権保護情報ＥＤを確実に取得可能とすることができる。
【００５３】
光ディスク１２は、この著作権保護情報ＥＤがＰＥ変調回路６によりシリアルデータ列に変換されて位相変調され、この位相変調結果によるインクの付着により光透過層９の下層に所定のパターンを印刷して著作権保護情報ＥＤが記録される。
【００５４】
このようなインクの付着においては、インクジェットヘッド７を変調信号による駆動して実行でき、これにより光ディスク１２は、簡易な処理により著作権保護情報ＥＤを記録することができる。
【００５５】
このようにして付着したインクによるパターンは、インクの溶剤の揮発によりインクに溶けた金属粉末が局所的に集合して、不規則なまだら模様により、光透過層の下層に形成されていることにより、同様の違法コピーの作成を著しく困難とすることができる。
【００５６】
すなわち違法コピーを作成する１つの方法として何らこの種の著作権保護情報が記録されていない光ディスクを購入し、この光ディスクに同様のパターンを記録する方法が考えられるが、実際上、光透過層だけを剥がして著作権保護情報ＥＤを記録した後、再び光透過層を作成するような作業にあっては、極めて時間と労力を有し、これにより違法コピーの市場への流入を著しく困難とすることができる。
【００５７】
また図４（Ｂ）に示すように、このような著作権保護情報ＥＤを光学的に複写してシール１３を作成し、このシール１３を光透過層に貼り付けることにより違法コピーを作成する方法も考えられるが、光ディスク１２では、再生系における光学系において、光透過層９の厚み分のデフォーカスによって検出困難となる程度以上の、微細な光学特性の変化を有するように印刷によるパターンが形成されていることにより、このような方法による違法コピーも有効に回避することができる。
【００５８】
すなわち情報記録面に形成されている著作権保護情報ＥＤに記録においては、再生時、レーザービームが小さなビームスポット径により照射されることにより、このレーザービームの戻り光を受光して検出される再生信号ＨＦにおいては、図７（Ａ）〜（Ｃ）に示すように、まだら模様に応じた不規則で短い周期による振幅の変化が観察される。特に、光ディスク１２では、再生系で照射されるレーザービームのビームスポット径により分解可能な周波数以上の空間周波数による光学特性の変化までも有するように、微細に著作権保護情報ＥＤのパターンが形成されることにより、このようにして得られる再生信号ＨＦにおいては、極めて広い周波数帯域による信号成分を含んで再生されることになる。
【００５９】
これに対して光透過層の表面においては、大きなビーム径により前ピンによりデフォーカスした状態でレーザービームが照射されることにより、戻り光を受光して得られる再生信号ＨＦにおいては、図７（Ａ）〜（Ｃ）との対比により図８（Ａ）〜（Ｃ）に示すように、シール１３を貼り付けた部位でも、このような微細な振幅の変化は観察されず、低い周波数帯域における信号レベルの変化によりシール１３のパターンが検出される。
【００６０】
これによりこのような再生信号ＨＦにおけるパワーの周波数分布により光透過層の下層に正しく著作権保護情報ＥＤが印刷された光ディスク１２についてのみアクセス可能として違法コピーに係る光ディスクを排除することができる。
【００６１】
すなわち光ディスク１２は、このようにして記録された著作権保護情報ＥＤの鍵情報ＫＹによりオーディオ信号が暗号化されて記録され、市場に投入される。このようにして市場に投入された光ディスク２２は、光ディスク装置２１において（図５）、光ピックアップ２４によりレーザービームが照射されて戻り光が受光され、その受光結果の処理により光ディスク２２に形成された相変化膜の変化、著作権保護情報ＥＤのパターンに応じて信号レベルが変化する再生信号ＨＦが検出される。
【００６２】
光ディスク２２は、この再生信号ＨＦがノイズパワー検出回路２５に入力され、ここで＋４５°位相シフト回路４４Ａ〜４４Ｄ及び−４５°位相シフト回路４４Ａ〜４５Ｄより出力される基本周波数ｆ１の整数倍となるように周波数が設定されてなる周波数の異なる複数組の直交する基準信号Ｓ１〜Ｓ８とそれぞれ乗算され、乗算結果が積分回路４８Ａ〜４８Ｄによりそれぞれ積分される。これにより光ディスク２２は、再生信号ＨＦに含まれてなる基準信号Ｓ１〜Ｓ８と同相成分の信号レベルが検出され、この信号レベル検出結果である積分結果が二乗演算回路４９Ａ〜４９Ｈにより二乗演算されて各成分のパワーが検出される。
【００６３】
さらにこのパワーが加算回路５０により加算され、これにより基準信号Ｓ１〜Ｓ８に対応する信号成分を多く含んでなるインクの付着によるまだら模様が形成されている部位では、出力信号Ｐｎの信号レベルが立ち上がるのに対し（図７（Ｄ））、デフォーカスされた状態で検出されるこのような信号成分を殆ど含んでいないような部位では、殆ど信号レベルの変化が無い状態でノイズ検出信号Ｐｎが検出される。これによりこのノイズ検出信号Ｐｎは、正しく光透過層９の下側に微細なパターンにより記録された場合には、著作権保護情報ＥＤによるまだら模様のパターンに対応して信号レベルが立ち上がることになる。
【００６４】
これにより光ディスク１２では、このノイズ検出信号Ｐｎを２値識別して順次ラッチすることにより再生データが得られ、この再生データがＰＥ復号回路２６により処理されて著作権保護情報ＥＤが再生される。まだら模様のパターンに対応してノイズ検出信号Ｐｎの信号レベルが立ち上がる場合には、このような２値識別に係る２値化の信号ＢＤにおいても、正しく論理値が変化するのに対し（図７（Ｅ））、ノイズ検出信号Ｐｎで信号レベルが殆ど０レベルとなる場合には、２値化信号ＢＤにおいては一方の論理レベルに張り着いた状態に保持され（図８（Ｅ））、これにより著作権保護情報ＥＤは検出されるものの、誤って検出されることになる。
【００６５】
これにより不正コピーに係る光ディスク２２については、正しく鍵情報ＫＹを取得することが困難となり、オーディオ信号の暗号化を正しく解除できないのに対し、正しい流通に係る光ディスク２２については、正しく暗号化を解除することができ、これにより不正コピーの流通を排除して著作権の利益を有効に保護することができる。
【００６６】
（３）実施の形態の効果
以上の構成によれば、不規則なまだら模様によるパターンの印刷により著作権に関する情報を光ディスクに記録することにより、インクジェットによりインクを吹き付ける等により簡易に著作権に関する情報を記録することができる。また、記録する部位の選定等により複製困難に著作権に関する情報を記録することができ、これにより従来に比して一段と有効に著作権者の利益を保護することができる。
【００６７】
すなわちこの不規則なまだら模様によるパターンを光透過層の下層に印刷することにより、光透過層の厚みによるデフォーカスを利用して不正コピーに係る光ディスクを排除することができ、これにより従来に比して一段と有効に著作権者の利益を保護することができる。
【００６８】
また再生系における光学系において、光透過層の厚み分のデフォーカスによって検出困難となる程度以上の、微細な光学特性の変化を有するように不規則なまだら模様によるパターンを形成することにより、光透過層の厚みによるデフォーカスを利用して不正コピーに係る光ディスクを排除することができる。
【００６９】
また再生系で照射されるレーザービームのビームスポット径により分解可能な周波数以上の空間周波数による光学特性の変化までも有するように、不規則なまだら模様によるパターンを形成することにより、再生系において、十分な利得によりこのパターンの有無を検出することができ、これにより確実に不正コピーを防止することができる。
【００７０】
また再生側においては、再生信号における十分に高い周波数帯域の成分を検出するだけの簡易な構成により、このようにして著作権保護情報を記録した光ディスクと不正コピーに係る光ディスクとを識別することができる。
【００７１】
（４）他の実施の形態
なお上述の実施の形態においては、複数組の直交する基準信号と再生信号を乗算して周波数の高い成分のパワーを検出する場合について述べたが、本発明はこれに限らず、再生信号と乗算する基準信号は、このような直交する関係に限られるものではなく、必要に応じて種々の基準信号を利用することができる。
【００７２】
また上述の実施の形態においては、各周波数成分の信号レベル検出結果である積分回路４８Ａ〜４８Ｈの出力信号を二乗して加算する場合について述べたが、本発明はこれに限らず、単に絶対値和によりパワーを検出するようにしてもよい。
【００７３】
また上述の実施の形態においては、基準信号を用いて各周波数による基準信号との同相成分の信号レベルを検出してまだら模様のパターンの有無を検出する場合について述べたが、本発明はこれに限らず、単に所定周波数以上の帯域に係る信号成分を検波してまだら模様のパターンの有無を検出する場合等、種々の検出手法を広く適用することができる。
【００７４】
また上述の実施の形態においては、著作権に関する情報として媒体番号、装置番号情報、鍵情報、誤り訂正符号を記録する場合について述べたが、本発明はこれに限らず、これらの何れかの情報を記録する場合、これらの情報に例えば光ディスクの製造に関する情報等を加えて記録する場合等、さらには単に暗号化解除の鍵情報だけを記録する場合等、著作権に関する種々のデータを記録する場合に広く適用することができる。
【００７５】
また上述の実施の形態においては、著作権に関する情報として記録された著作権保護情報のうち鍵情報により暗号化を解除する場合について述べたが、本発明はこれに限らず、鍵情報と他の情報とにより暗号化を解除する場合等にも広く適用することができる。
【００７６】
また上述の実施の形態においては、著作権に関する情報により暗号化を解除して著作権者の利益を保護する場合について述べたが、本発明はこれに限らず、例えばこれらの情報の検出の有無により動作を停止制御する等により著作権者の利益を保護するようにしてもよい。
【００７７】
また上述の実施の形態においては、リードインエリアの先頭に著作権に関するデータを記録する場合について述べたが、本発明はこれに限らず、種々の箇所に記録して上述の実施の形態と同様の効果を得ることができる。
【００７８】
また上述の実施の形態においては、光透過層の下層に著作権保護情報を記録する場合について述べたが、本発明はこれに限らず、実用上十分な場合には、光透過層の表面に直接の印刷により著作権に関する情報を記録するようにしてもよい。
【００８０】
また上述の実施の形態においては、相変化型の光ディスクに著作権に関する情報を記録する場合について述べたが、本発明はこれに限らず、光磁気ディスク等の光ディスクに著作権に関する情報を記録する場合、さらには再生専用の光ディスクに著作権に関する情報を記録する場合等にも広く適用することができる。
【００８１】
また上述の実施の形態においては、光ディスクに記録されたオーディオ信号を再生する場合について述べたが、本発明はこれに限らず、光磁気ディスクであるＭＯに適用してコンピュータのデータを記録再生する場合、さらにはビデオ信号を記録再生する場合等に広く適用することができる。
【００８２】
【発明の効果】
上述のように本発明によれば、不規則なまだら模様によるパターンを光ディスクに配置して、著作権に関する情報を記録することにより、従来に比して一段と有効に著作権者の利益を保護することができる。
【図面の簡単な説明】
【図１】本発明の実施の形態に係る著作権情報記録装置による著作権の記録の説明に供する略線図である。
【図２】本発明の実施の形態に係る著作権情報記録装置を示すブロック図である。
【図３】図２の著作権情報記録装置による著作権保護情報を示す略線図である。
【図４】図２の著作権情報記録装置による光ディスクについて、違法コピーに係る光ディスクとの相違を示す断面図である。
【図５】図２の著作権情報記録装置による光ディスクを再生する光ディスク装置を示すブロック図である。
【図６】図５の光ディスク装置のノイズパワー検出回路を示すブロック図である。
【図７】図６のノイズパワー検出回路による処理の説明に供する略線図である。
【図８】図７との対比により不正コピーに係る光ディスクの処理の説明に供する略線図である。
【符号の説明】
１……著作権情報記録装置、２……ディスク基板、５、３０……中央処理ユニット、６……ＰＥ変調回路、７……インクジェットヘッド、１２、２２……光ディスク、２５……ノイズパワー検出回路、２６……ＰＥ復号回路
【図１】
0004288548.tif 000004
【図２】
0004288548.tif 000005
【図３】
0004288548.tif 000006
【図４】
0004288548.tif 000007
【図５】
0004288548.tif 000008
【図６】
0004288548.tif 000009
【図７】
0004288548.tif 000010
【図８】
0004288548.tif 000011